【事件の表示】
　特願２００１−５６４２７８「ポリマー組成物」拒絶査定不服審判事件〔平成１３年　９月　７日国際公開、ＷＯ０１／６４７８７、平成１５年　８月２６日国内公表、特表２００３−５２５３３４〕について、次のとおり審決する。
【結　論】
　本件審判の請求は、成り立たない。
【理　由】
第１．手続の経緯
　本願は，平成１３年３月２日（優先権主張２０００年３月２日，（ＤＥ）ドイツ）を国際出願日とする出願であって，平成２２年３月１日付で通知した拒絶の理由に対し，同年６月９日付で手続補正されたが，同年７月７日付で拒絶査定がされ，これに対し，同年１１月１５日に拒絶査定不服審判が請求されると同時に手続補正がなされたものである。
　その後，平成２２年１２月２４日に審判請求書の手続補正書（方式）が提出され，特許法第１６２条所定の審査がされた結果，平成２３年３月４日付けで同法１６４条第３項の所定の報告がなされ，平成２４年５月９日付で審尋を行ったところ，これに対し同年７月２７日付で回答書が提出されたものである。
　
第２．平成２２年１１月１５日付の手続補正についての補正の却下の決定  
　
　［補正却下の決定の結論］  
　平成２２年１１月１５日付の手続補正を却下する。  
　
　［理由］  
１．補正の内容
　平成２２年１１月１５日付の手続補正（以下，「本件補正」という。）は，特許請求の範囲に
　
＜本件補正前＞
「【請求項１】　Ａ）　0から99.9重量％までのポリマーＡであって，少なくとも，
　　Ａ１）　モノマーＡ１としてのＣ4−からＣ10−ジエン，および
　　Ａ２）　モノマーＡ２としてのビニル芳香族Ｃ8−からＣ20−モノマー，
から得られるポリマーＡ；
または，
　Ｂ）　0から99.9重量％までのポリマーＢであって，少なくとも，
　　Ｂ１）　モノマーＢ１としてのＣ2−からＣ20−オレフィン，および
　　Ｂ２）　モノマーＢ２としての，Ｃ2−からＣ10−ビニルアルコールおよびＣ2−からＣ10−カルボン酸からのモノマー，
から得られるポリマーＢ；
および，
　Ｃ）　少なくとも１つのビニル芳香族モノマーから得られる0から99.9重量％までのポリマーＣ；
　Ｄ）　少なくとも１つのＣ4−からＣ10−ジエンおよび少なくとも１つの臭素から得られる，5から50重量％までの臭素含有ポリマーＤ；
　Ｅ）　0から40重量％までの充填剤；
を有してなる粘性ポリマー組成物であって，
　前記成分ＡからＥまでの合計が100重量％となり，前記ポリマー組成物が２つの成分ＡおよびＢの内の少なくとも１つを常に含有することを特徴とする粘性ポリマー組成物。
　　【請求項２】　前記ポリマーＡがブロックコポリマーであることを特徴とする請求項１記載のポリマー組成物。
　　【請求項３】　前記ポリマーＡにおいて，モノマーＡ１から得られるブロックが，モノマーＡ２から得られるポリマーのブロックに囲まれていることを特徴とする請求項２記載のポリマー組成物。
　　【請求項４】　前記成分Ｅが酸化ケイ素化合物であることを特徴とする請求項１から３いずれか１項記載のポリマー組成物。
　　【請求項５】　請求項１から４いずれか１項記載の成分Ａ）からＥ）が互いに混合されることを特徴とするポリマー組成物を製造する方法。
　　【請求項６】　請求項１から４いずれか１項記載の成分Ａ）からＥ）を混合させることにより得られるポリマー組成物。
　　【請求項７】　以下の特性：
ａ）　50から80％までの範囲にあるエネルギー損失，
ｂ）　80から150Ｎ／ｍｍまでの範囲にある200Ｎから400Ｎまででの動剛性，
ｃ）　100から400Ｎ／ｍｍまでの範囲にある1000Ｎから1500Ｎまででの動剛性，
ｄ）　0.3から0.8ｇ／ｃｍ3までの範囲にある比重，
ｅ）　1から30％までの範囲にある弾性；
の内の少なくとも１つ有することを特徴とする請求項１から４および６いずれか１項記載のポリマー組成物。
　　【請求項８】　請求項１から４と６および７いずれか１項記載のポリマー組成物を有してなるシューソール。
　　【請求項９】　シューソールを製造するための，請求項１から４と６および７いずれか１項記載のポリマー組成物の使用。」
　
とあったものを　
　
＜本件補正後＞
「【請求項１】　Ａ）　0から99.9重量％までのポリマーＡであって，少なくとも，
　　Ａ１）　モノマーＡ１としてのＣ4−からＣ10−ジエン，および
　　Ａ２）　モノマーＡ２としてのビニル芳香族Ｃ8−からＣ20−モノマー，
から得られるポリマーＡ；
および，
　Ｃ）　少なくとも１つのビニル芳香族モノマーから得られる0から99.9重量％までのポリマーＣ；
　Ｄ）　少なくとも１つのＣ4−からＣ10−ジエンおよび少なくとも１つの臭素から得られる，5から50重量％までの臭素含有ポリマーＤ；
　Ｅ）　0から40重量％までの充填剤；
を有してなる粘性ポリマー組成物であって，
　前記成分Ａ，Ｃ，ＤおよびＥの合計が100重量％となることを特徴とする粘性ポリマー組成物。
　　【請求項２】　Ｂ）　0から99.9重量％までのポリマーＢであって，少なくとも，
　　Ｂ１）　モノマーＢ１としてのＣ2−からＣ20−オレフィン，および
　　Ｂ２）　モノマーＢ２としての，Ｃ2−からＣ10−ビニルアルコールおよびＣ2−からＣ10−カルボン酸からのモノマー，
から得られるポリマーＢ；
および，
　Ｃ）　少なくとも１つのビニル芳香族モノマーから得られる0から99.9重量％までのポリマーＣ；
　Ｄ）　少なくとも１つのＣ4−からＣ10−ジエンおよび少なくとも１つの臭素から得られる，5から50重量％までの臭素含有ポリマーＤ；
　Ｅ）　0から40重量％までの充填剤；
を有してなる粘性ポリマー組成物であって，
　前記成分Ｂ，Ｃ，ＤおよびＥの合計が100重量％となることを特徴とする粘性ポリマー組成物。
　　【請求項３】　前記ポリマーＡがブロックコポリマーであることを特徴とする請求項１記載のポリマー組成物。
　　【請求項４】　前記ポリマーＡにおいて，モノマーＡ１から得られるブロックが，モノマーＡ２から得られるポリマーのブロックに囲まれていることを特徴とする請求項３記載のポリマー組成物。
　　【請求項５】　前記成分Ｅが酸化ケイ素化合物であることを特徴とする請求項１から４いずれか１項記載のポリマー組成物。
　　【請求項６】　請求項１から５いずれか１項記載の成分Ａ，Ｃ，ＤおよびＥ，または成分Ｂ，Ｃ，ＤおよびＥが互いに混合されることを特徴とするポリマー組成物を製造する方法。
　　【請求項７】　請求項１から５いずれか１項記載の成分Ａ，Ｃ，ＤおよびＥ，または成分Ｂ，Ｃ，ＤおよびＥを混合させることにより得られるポリマー組成物。」
　
と補正しようとするものである。
　
２．本件補正の目的
　本件補正は，本件補正前の請求項１を本件補正後の請求項１および請求項２（下記を参照。なお，下線は，当審で付した。）とすること，本件補正前の請求項２乃至６を，それぞれ，本件補正後の請求項３乃至７とすること，および，本件補正前の請求項７乃至９を削除することを目的とするものである。
　
＜本件補正前の請求項１＞
「Ａ）　
0から99.9重量％までのポリマーＡ
　　Ａ１）　モノマーＡ１としてのＣ4−からＣ10−ジエン，および
　　Ａ２）　モノマーＡ２としてのビニル芳香族Ｃ8−からＣ20−モノマー，
から得られるポリマーＡ；
または，
　Ｂ）　
0から99.9重量％までのポリマーＢ
　　Ｂ１）　モノマーＢ１としてのＣ2−からＣ20−オレフィン，および
　　Ｂ２）　モノマーＢ２としての，Ｃ2−からＣ10−ビニルアルコールおよびＣ2−からＣ10−カルボン酸からのモノマー，
から得られるポリマーＢ；
および，　
　Ｃ）　少なくとも１つのビニル芳香族モノマーから得られる0から99.9重量％までのポリマーＣ；
　Ｄ）　少なくとも１つのＣ4−からＣ10−ジエンおよび少なくとも１つの臭素から得られる，5から50重量％までの臭素含有ポリマーＤ；
　Ｅ）　0から40重量％までの充填剤；
を有してなる粘性ポリマー組成物であって，
　前記成分ＡからＥまでの合計が100重量％となり，
前記ポリマー組成物が２つの成分ＡおよびＢの内の少なくとも１つを常に含有すること
　
＜本件補正後の請求項１＞　
「Ａ）　
0から99.9重量％までのポリマーＡ
　　Ａ１）　モノマーＡ１としてのＣ4−からＣ10−ジエン，および
　　Ａ２）　モノマーＡ２としてのビニル芳香族Ｃ8−からＣ20−モノマー，
から得られるポリマーＡ；
および，
　Ｃ）　少なくとも１つのビニル芳香族モノマーから得られる0から99.9重量％までのポリマーＣ；
　Ｄ）　少なくとも１つのＣ4−からＣ10−ジエンおよび少なくとも１つの臭素から得られる，5から50重量％までの臭素含有ポリマーＤ；
　Ｅ）　0から40重量％までの充填剤；
を有してなる粘性ポリマー組成物であって，
前記成分Ａ，Ｃ，ＤおよびＥの合計が100重量％となることを特徴とする粘性ポリマー組成物。」
　
＜本件補正後の請求項２＞　
「Ｂ）　
0から99.9重量％までのポリマーＢ
　　Ｂ１）　モノマーＢ１としてのＣ2−からＣ20−オレフィン，および
　　Ｂ２）　モノマーＢ２としての，Ｃ2−からＣ10−ビニルアルコールおよびＣ2−からＣ10−カルボン酸からのモノマー，
から得られるポリマーＢ；
および，
　Ｃ）　少なくとも１つのビニル芳香族モノマーから得られる0から99.9重量％までのポリマーＣ；
　Ｄ）　少なくとも１つのＣ4−からＣ10−ジエンおよび少なくとも１つの臭素から得られる，5から50重量％までの臭素含有ポリマーＤ；
　Ｅ）　0から40重量％までの充填剤；
を有してなる粘性ポリマー組成物であって，
前記成分Ｂ，Ｃ，ＤおよびＥの合計が100重量％となることを特徴とする粘性ポリマー組成物。」
　
３．本件補正の適否
（１）新規事項について
　本件補正後の請求項１に係る発明は，本件補正が補正前の請求項１の「前記ポリマー組成物が２つの成分ＡおよびＢの内の少なくとも１つを常に含有する」との記載を削除することを含むことから明らかなとおり，ポリマーＢを含有せず，かつ，ポリマーＡが0重量％である場合，すなわち，ポリマーＡとポリマーＢのいずれも含有しない場合を包含しており，本件補正後の請求項２に係る発明は，ポリマーＡを含有せず，かつ，ポリマーＢが0重量％である場合，すなわち，ポリマーＡとポリマーＢのいずれも含有しない場合を包含している。
　しかしながら,本願の願書に最初に添付した明細書および図面（以下,「当初明細書等」という。）に記載されていたものは,成分ＡおよびＢの内の少なくとも１つを常に含有するポリマー組成物であり（例えば，段落【００１８】）,ポリマーＡとポリマーＢのいずれも含有しないポリマー組成物については記載がないし,記載されている事項から自明であるとも認められない。
　よって,本件補正は,当初明細書等に記載した事項の範囲内においてしたものではないから,特許法第１７条の２第３項に規定する要件を満たしていない。
　
（２）いわゆる目的要件について
　仮に,本件補正が,当初明細書等に記載した事項の範囲内においてしたものであるといえるとしても，本件補正は，目的要件を満足しないすなわち，本件補正前後の関係についてみるに，本件補正前の請求項１に係る発明は，「前記ポリマー組成物が２つの成分ＡおよびＢの内の少なくとも１つを常に含有すること」を発明を特定するための事項として有しているのに対し，本件補正後の請求項１および２に係る発明は，ポリマーＡとポリマーＢのいずれも含有しない場合を包含している。
　そうすると，本件補正によってポリマーＡとポリマーＢのいずれも含有しない場合が新たに包含されるようになるのであるから，本件補正は，特許請求の範囲の減縮を目的とするものに該当しないことが明らかである。
　また，本件補正は，請求項の削除，誤記の訂正，明りようでない記載の釈明のいずれを目的とするものでもない。
　したがって，本件補正は，平成１８年法律第５５条改正附則第３条第１項によりなお従前の例によるとされる同法による改正前の特許法（以下,単に「特許法」という。）第１７条の２第４項の規定に違反する。
　
（３）　上記（１），（２）のとおりであるから本件補正は，特許法第１５９条第１項で読み替えて準用する同法第５３条第１項の規定により却下すべきものである。
　
第３．本願発明
　平成２２年１１月１５日付けの手続補正は，上記のとおり却下された（上記第２．を参照。）ので，本願の請求項１乃至９に係る発明（なお，以下，請求項１に係る発明を「本願発明１」という。）は，平成２２年６月９日付けの手続補正書により補正された明細書（以下，「本願明細書」という。）の特許請求の範囲の請求項１乃至９に記載されたとおりのものであって，上記第２．（１）に＜本件補正前＞として記載したとおりのものと認める。
　
第４．原査定の拒絶の理由
　原査定の拒絶の理由は，要するに，本願は，発明の詳細な説明の記載が特許法第３６条第４項第１号に規定する要件を満たしていないものであり，また，特許請求の範囲の記載が，特許法第３６条第６項第１号，および，第２号に規定する要件を満たしていない，というものである。　 
　
第５．当審の判断
　特許法第３６条第６項第１号違反について検討する。
　
１．本願明細書の記載
　本願明細書には，本願発明１について，以下の記載がある。なお，下線を当審で付した。
　
ア．
「
２．  本発明の背景
　
歩行，走行または跳躍中に地面に接触することにより，地面と足との間に力が作用する。そのような力は，一般に床反力または地面反力（ＧＲＦ）と称される。
結果としてのＧＲＦの垂直成分が図１ｃに示されている。
　これらの二種類の反力は，骨系および筋肉系に関して異なる影響を与える。
　衝撃反力には，競技者の力には何の関係もない。衝撃反力は，特に踵が関与する場合，いくつかのスポーツの慢性的な変形性傷害に関連すると考えられている。したがって，シューソールに適切な構造を用いることにより，衝撃反力を減少させることが目的の１つである。反力の元で容易に変形し，エネルギーを分散させるシステムについて言及する。
　能動反力の量および持続時間が，競技者の能力，すなわち，走行力および跳躍高さを決定する。これは，競技者がある速度で走ることを意図したときに，ある水準の能動反力を蓄える必要があることを意味する。したがって，そのような反力を援助することが意図される。エネルギー分散をできるだけ小さくし，これと同時に，必要な抑制を与えるシューソールがこれに影響を与えることができる。
　スポーツ，走行速度，脚の解剖学的形態等に依存して，受動最大値および能動最大値の互いに対する相対的な高さが変動し得ることが研究により証明された。したがって，各々の場合に応じて，図１ｃに示した状況は，能動最大値が受動最大値と同じ量を有する，またはそれより大きくなることができる様式で変動し得る。しかしながら，それらの最大値は，約60ｍｓだけ異なるのが普通である。
イ．
　
ウ．
「
３．  発明の概要　
　
本発明の目的は，自然な動作の最中に生じる受動反力および能動反力の最大値に特に適し，自然な動作の原動力を最適に使用し，したがって，走行者の安全かつ効率的な前方への動きを与える粘性材料を提供することにある。　さらに，この粘性材料は，効率的かつ安価な様式でシューソールを製造するために，公知の工場設備において大きな改造を行わずに使用できることが望ましい。
　
エ．
「  本発明によれば，上述した目的は，
　Ａ）  ポリマーＡであって，少なくとも，
　　Ａ１）  モノマーＡ１としてのＣ4−からＣ10−ジエン，および
　　Ａ２）  モノマーＡ２としてのビニル芳香族Ｃ8−からＣ20−モノマー，
から得られるポリマーＡ；
または，
　Ｂ）  ポリマーＢであって，少なくとも，
　　Ｂ１）  モノマーＢ１としてのＣ2−からＣ20−オレフィン，および
　　Ｂ２）  モノマーＢ２としての，Ｃ2−からＣ10−ビニルアルコールおよびＣ2−からＣ10−カルボン酸からのモノマー，
から得られるポリマーＢ；
および以下の成分Ｃ）からＥ）までの内の少なくとも１つ，
　Ｃ）  少なくとも１つのビニル芳香族モノマーから得られるポリマーＣ；
　Ｄ）  少なくとも１つのＣ4−からＣ10−ジエンおよび少なくとも１つのハロゲンから得られる，ハロゲン含有ポリマーＤ；
　Ｅ）  充填剤；
もしくは，Ａ）およびＢ）のみ，または成分Ｃ）からＥ）までの内の少なくとも１つと共にＡ）およびＢ），
を有してなる，特に含有する，粘性ポリマー組成物により解決される。
　さらに，本発明によるポリマー組成物は，例えば，成形型からのポリマー組成物の取出しを簡単にするためのような，通常の助剤および追加の化合物を含有しても差し支えない。
４．  発明の詳細な説明　
　
本発明によれば，成分Ａの成分Ｂ−Ｅとの全ての可能な組合せが好ましい。さらに，成分Ｂは，成分ＣからＥと組み合わせることができる。特に，成分の好ましい組合せは，以下の文字の組合せにより与えられる：ＡＢ，ＡＣ，ＡＤ，ＡＥ，ＡＥＣ，ＡＢＣＤ，ＢＣ，ＡＢＣ，ＡＢＣＤＥＦおよびＡＢＣＤＥ。
　さらに，成分：
　Ａ）  0から99.9重量％まで，好ましくは，5から60重量％までのポリマーＡ，
　Ｂ）  0から99.9重量％まで，好ましくは，5から60重量％までのポリマーＢ，
　Ｃ）  0から99.9重量％まで，好ましくは，5から60重量％までのポリマーＣ，
　Ｄ）  0から90.4重量％まで，好ましくは，5から50重量％までのポリマーＤ，
　Ｅ）  0から40重量％まで，好ましくは，1から20重量％までの成分Ｅとしての充填剤，　
を含有する粘性ポリマー組成物であって，
成分Ａ−Ｅの合計が100重量％となり，二成分ＡおよびＢの内の少なくとも１つを常に含有し，ＡまたはＢを含有する場合には，成分ＣからＥまでの内の少なくとも１つをさらに含有するポリマー組成物が好ましい。
　成分Ｆの量は，もし存在すれば，残りのポリマー組成物に対して，15重量％まで，好ましくは，0.5から5重量％までである。
　本発明によれば，
モノマーＡ１として，
ブタジエンが特に好ましい。
　
モノマーＡ２して，
スチレンが特に好ましい。
オ．
「  
ポリマーＡは，
例えば，ＢＡＳＦ  ＡＧにより商標Styroflex（登録商標）の元で入手できるような，ポリ（スチレン−ブタジエン−スチレン）ブロックコポリマーが特に好ましい。　
　そのようなポリ（スチレン−ブタジエン−スチレン）ブロックコポリマーは，材料を柔軟にするゴム状の統計的スチレン−ブタジエンコポリマーのマトリクス中に埋め込まれた硬質繊維としてのポリスチレンの「島」からなる。一般に，これらの材料は，ＤＩＮ５３５０５によれば，それぞれ，（85から90まで）または80から85までの範囲にある，ショアＡ硬度（３ｓ）15ｓを有する。ＤＩＮ５３５０５により測定されたショアＤ硬度（３ｓ）15ｓは，それぞれ，（30から35まで）または27から32までの範囲にある。さらに，そのような材料は，−40℃辺りの範囲にある低いガラス転移温度および約−35℃の範囲にある破壊温度（ＤＩＮ５３３７２によれば）を有する。この材料についてのさらなる情報は，ルートヴィヒスハーフェン所在のＢＡＳＦ  ＡＧから入手できるStyroflex（登録商標）に関するデータシートに与えられている。
　
ポリマーＢは，
　モノマーＢ１は，好ましくは，Ｃ2−からＣ20−，より好ましくは，Ｃ2−からＣ15−，特に好ましくは，Ｃ2−からＣ10−オレフィンである。さらに，モノマーＢ１がアルファオレフィンであることが好ましい。特に，エチレン，プロピレン，１−ブテン，１−ペンテン，１−ヘキセン，１−へブテン，１−オクテンおよび１−ノネンが好ましく，エチレンが特に好ましい。
　ポリマーＢにさらに用いられるモノマーＢ２は，例えば，特に，２から８まで，より特別に，２から５まで，さらにより特別に，２の炭素を有するビニルアルコール，および特に，２から８まで，より特別に，２から５まで，さらにより特別に，２の炭素原子を有するカルボン酸から得られる生成物である。
　ポリマーＢは，5から25重量％まで，特に，15から23重量％までの範囲でポリマーＢ２を含有することができる。
　
ポリマーＢとして特に好ましいのは，本発明による粘性ポリマー組成物中の全ポリマーＢに基づいて，18から21重量％までの酢酸ビニル含有量を有するＥＶＡ（エチレン−酢酸ビニル）ポリマーである。このＥＶＡポリマーは，例えば，Ｌｅｕｎａ  Ｐｏｌｙｍｅｒ  ＧｍｂＨ，ＤｕＰｏｎｔまたはＥｘｘｏｎにより供給される。
　この群のポリマーでは，酢酸ビニルの含有量並びにコポリマーのメルトインデックスが，とりわけ，ポリマーの機械的および熱的特性を決定する。酢酸ビニルの含有量が増加するにつれ，伸び，引裂き安定性，柔軟性，低温抵抗，反発弾性，許容差および粘着性が増加し，一方で，硬度，剛性，弾性，ビカ(vica)温度，曲げ応力および耐薬品性が減少する。
　市販のポリマーＢ，特に，ＥＶＡポリマーの特性および組成に関する詳細は，例えば，Ｌｅｕｎａ  Ｐｏｌｙｍｅｒ  ＧｍｂＨのMiravithen（登録商標），およびＤｕＰｏｎｔのElvax（登録商標）に関するデータシートのような，上述した会社の対応するデータシートから得られる。
　
ポリマーＣは,例えば,スチレンのような少なくとも１つのビニル芳香族モノマーから得られるポリマーである。
特に好ましくは,10から50℃までの範囲において液体である。
　ポリマーＤにおけるハロゲンは,好ましくは,フッ素,塩素および臭素であり,特に,臭素が好ましい。ポリマーＤに用いる共役ジエンに関しては,モノマーＢ１を参照する。ポリマーＤにおいて,ブロモブタジエンおよびブロモイソプレンが好ましく,ブロモブタジエンが特に好ましい。
したがって,ポリブロモブタジエンゴムがポリマーＤとして特に好ましい。
　ポリマーＤとして使用できる材料の例としては,イソブテンおよびイソプレンのフッ素化コポリマーに言及すべきであり,これらは,例えば,Ｂａｙｅｒ　ＡＧのPolysar（登録商標）の名称で入手できる。ポリマーＤとして使用できるそのようなポリマーに関する詳細は,Ｂａｙｅｒ　ＡＧの対応するデータシートに与えられている。
　
充填剤Ｅとして,
シリカが最も好ましい。
　言及すべきさらなる充填剤としては,例えば,スート,ケイ酸カルシウムおよびケイ酸アルミニウム,酸化アルミニウム,カオリン,シリカ,フレンチチョーク,チョーク,酸化亜鉛のような金属酸化物,金属炭酸塩が挙げられる。
　上記に関して,全ての公知の無機および有機顔料を充填剤として使用することができ,ここで,酸化チタン,硫酸亜鉛,酸化鉄,酸化クロム,カドミウムおよびクロム酸塩の顔料が無機顔料として好ましく,有機顔料としては,ジアリール−およびピラゾロン−ジアゾ顔料,β−ナフトールカルボン酸またはβ−ナフトールカルボン酸−アリライト(arylits)の顔料,ナフタレンテトラカルボン酸の誘導体またはペリレンテトラカルボン酸の誘導体,ジオキサジンの顔料並びにチャイナクリドン(chinacridon)縮合生成物,チオインジゴ−イソインドリノン縮合生成物およびジアゾ縮合生成物の顔料が特に好ましい。」（段落【００２３】乃至【００３７】）
　
２．本願明細書の記載から認定できる事実
　本願明細書の上記摘示事項ア．〜オ．から,以下の事実を認めることができる。
＜認定事実１＞
　本願発明１は，自然な動作の原動力を最適に使用し，走行者の安全かつ効率的な前方への動きを与える粘性材料を提供することや，効率的かつ安価な様式でシューソールを製造するために，公知の工場設備において大きな改造を行わずに使用できることを解決すべき課題とするものであること。
＜認定事実２＞
　本願発明１は，成分ＡからＥを所定の含有量で含有する組成物の発明であること。
＜認定事実３＞
　本願明細書には本願発明１のポリマーＡ（成分Ａ）に関し，モノマーＡ１の具体例としてブタジエンおよびイソプレンが例示されるとともにブタジエンが特に好ましく，モノマーＡ２の具体例としてα−メチルスチレンおよびスチレンが例示されるとともにスチレンが特に好ましく，ポリマーＡとして特にＢＡＳＦ  ＡＧにより商標Styroflex（登録商標）の元で入手できるような，ポリ（スチレン−ブタジエン−スチレン）ブロックコポリマーが好ましいことが記載されていること。
　成分ＢからＥのそれぞれについても同様に，モノマー（成分Ｅについては充填剤）の例示，好ましいモノマーの記載，好ましいポリマー（成分Ｅについては充填剤）の記載があること。
＜認定事実４＞
　各成分の好ましい組合せは，ＡＢ，ＡＣ，ＡＤ，ＡＥ，ＡＥＣ，ＡＢＣＤ，ＢＣ，ＡＢＣ，ＡＢＣＤＥＦおよびＡＢＣＤＥであること。
　
３．判断　
（１）特許請求の範囲の記載が特許法第３６条第６項第１号の規定（以下，「明細書のサポート要件」という。）に適合するといえるためには，特許請求の範囲に記載された発明が，（ａ）発明の詳細な説明に記載された発明で，発明の詳細な説明の記載により当業者が当該発明の課題を解決できると認識できる範囲のものであるか，また，（ｂ）その記載や示唆がなくとも当業者が出願時の技術常識に照らし当該発明の課題を解決できると認識できる範囲のものであることの少なくともいずれか一つを満足することを要する。そして，本願発明１は，組成物の技術分野に属するものであり（上記,認定事実２を参照。），組成物の技術分野に属する発明は，一般に，課題の解決に貢献する有効成分の発見，あるいは，有効な組成の発見に基づいてなされるものであることを勘案すると，本願発明１において明細書のサポート要件に適合するためには，発明の詳細な説明の記載は，少なくとも「本願発明１の組成物が上記課題（上記,認定事実１を参照。）の解決に貢献する有効成分を含有している（あるいは有効な組成となっている）ことを当業者が認識できる程度に，具体的に説明等が記載されていること。」（以下,「要件１」という。）,または,「具体的な説明等が記載されていなくても,技術常識に照らせば,本願発明１の組成物が上記課題の解決に貢献する有効成分を含有している（あるいは有効な組成となっている）ことが明らかであるといえること。」（以下,「要件２」という。）のいずれか一つを満足することを要するといえる。
　
（２）　そこで,上記要件１について検討するに,本願明細書には,ポリマーＡ（成分Ａ）に関し，モノマーＡ１としてブタジエンが特に好ましいこと，モノマーＡ２としてスチレンが特に好ましいこと，ポリマーＡとしてＢＡＳＦ  ＡＧにより商標Styroflex（登録商標）の元で入手できるようなポリ（スチレン−ブタジエン−スチレン）ブロックコポリマーが好ましいことが単に記載されているだけ（上記認定事実３を参照。）であって,その理由（他のポリマー等が相対的に好ましくない理由）については具体的な説明（特に,上記課題の解決と関連づけた説明）はもちろん,定性的な説明すら記載されていない。
　したがって,成分Ａが上記課題の解決に貢献する有効成分であることを当業者が認識できる程度に，具体的に説明等が記載されているとはいえない。　成分ＢからＥのそれぞれについても同様である。
　また,本願発明１の組成物の組成に関し,各成分の好ましい組合せが，ＡＢ，ＡＣ，ＡＤ，ＡＥ，ＡＥＣ，ＡＢＣＤ，ＢＣ，ＡＢＣ，ＡＢＣＤＥＦおよびＡＢＣＤＥであることが単に記載されているだけ（上記認定事実４を参照。）であって,その理由（他の組合せが相対的に好ましくない理由）については具体的な説明（特に,上記課題の解決と関連づけた説明）はもちろん,定性的な説明すら記載されていない。
　したがって,本願発明１の組成物の組成が上記課題の解決に貢献する有効な組成となっていることを当業者が認識できる程度に，具体的に説明等が記載されているともいえない。
　したがって,本願明細書の発明の詳細な説明の記載は，上記要件１を満足していない。
　
（３）　次に,上記要件２についてみるに,
　成分Ａは,「0から99.9重量％までのポリマーＡであって，少なくとも，Ａ１）　モノマーＡ１としてのＣ4−からＣ10−ジエン，およびＡ２）　モノマーＡ２としてのビニル芳香族Ｃ8−からＣ20−モノマー，から得られるポリマーＡ」であるが,ポリマーＡについて分子量やモノマーＡ１およびモノマーＡ２の種類および共重合比率等に限定がないことを勘案すると,成分Ａには,モノマーＡ１およびモノマーＡ２の種類および共重合比率や分子量（したがって,性質）が異なる多種類のポリマーＡが含まれているといえる。　
　本願発明１の組成物が成分Ａを主要な構成成分として含有する場合,例えば,ポリマーＡを95.0重量％含有する場合（なお,成分Ａの含有量は,0から99.9重量％であるが,成分Ｄの含有量の下限値が5重量％なので,95.0より大きく99.9重量％までの範囲は取り得ない。）には,ポリマーＡの有する性質をほぼそのまま本願発明１の組成物も有するので,本願発明１の組成物の性質は,含有されているポリマーＡに応じて様々に変化する。
　したがって,本願発明１の組成物が上記課題を解決できるような特定の性質（に限らずいかなる特定の性質であっても）を常に有しているということはないといえる。
　なお,成分Ｄは,「少なくとも１つのＣ4−からＣ10−ジエンおよび少なくとも１つの臭素から得られる，5から50重量％までの臭素含有ポリマーＤ」であってその含有量が5から50重量％までであることから本願発明１の組成物に必ず含有されている成分であるが,分子量やジエンの種類や臭素の含有量が異なる多種類のポリマーＤが含まれていること,および,技術常識を参酌すれば,成分Ｄは,その含有量が5重量％と少量であっても本願発明１の組成物に特定の性質を有するようにしうるような成分ではない。
　
　次に,成分Ａが主要な構成成分ではない（含有されていない場合を含む）場合には,本願発明１の組成物の有する性質は,成分Ａだけでは決まらず成分Ａ以外に含有されている成分（成分ＢからＥ）の具体的な種類や含有割合に応じてさらに様々な性質を有するといえる。
　したがって,上記と同様の理由により,本願発明１の組成物が上記課題を解決できるような特定の性質（に限らずいかなる特定の性質であっても）を常に有しているということはないといえる。
　
　さらに,本願発明１は,「ポリマーＡ；または・・・ポリマーＢ；および・・前記ポリマー組成物が２つの成分ＡおよびＢの内の少なくとも１つを常に含有すること」を発明を特定するための事項として有することから,本願発明１の組成物は,成分Ａを含有する組成物（残部は,成分ＣからＥ）と,成分Ｂを含有する組成物（残部は,成分ＣからＥ）を包含しているが,成分Ｂは,「0から99.9重量％までのポリマーＢであって，少なくとも，Ｂ１）　モノマーＢ１としてのＣ2−からＣ20−オレフィン，およびＢ２）　モノマーＢ２としての，Ｃ2−からＣ10−ビニルアルコールおよびＣ2−からＣ10−カルボン酸からのモノマー，から得られるポリマーＢ」であってポリマーＡとはそのモノマーの種類が全く異なっている。
　したがって,成分Ａを含有する組成物（残部は,成分ＣからＥ）の性質と,成分Ｂを含有する組成物（残部は,成分ＣからＥ）の性質は大きく異なっており,両者がともに上記課題を解決できるような特定の性質を有しているということを想定することができないといえる。
　以上を総合すると,本願発明１の組成物は,技術常識を参酌しても,上記課題を解決すること明らかであるとはいえない。
　よって,本願明細書の発明の詳細な説明の記載は，上記要件２も満足していない。
　
（５）　本願明細書の発明の詳細な説明の記載は，上記要件１乃至要件２のいずれも満足しないので，本願明細書に接する当業者において，成分ＡからＥを所定の含有量で含有する組成物であれば，上記課題を解決した組成物を得られると認識することは，本願の優先日における技術常識を参酌しても，不可能というべきであり，本願明細書の特許請求の範囲の請求項１の記載が，明細書のサポート要件に適合するということはできない。
　
（６）
　なお，上記第２．のとおり，本件補正は却下されたが,仮に,本件補正が適法な補正であるとしても，本願明細書の特許請求の範囲の請求項１の記載が，明細書のサポート要件に適合するということはできない。すなわち，本件補正後の請求項１に係る発明（以下，「本件補正後発明１」という。）は，平成２２年１１月１５日付けの手続補正書により補正された明細書の特許請求の範囲の請求項１に記載されたとおりのものであって，上記第２．１．に＜本件補正後＞として記載したとおりのものと認められる。そして，本件補正後発明１は,本願発明１のうち成分Ｂを含有しない場合に限定したものに相当する。
　そうすると,上記のとおり本願発明１について明細書のサポート要件に適合するということはできないことから,本件補正後発明１についても明細書のサポート要件に適合するということはできないことが明らかである。
　
第６．むすび
　以上のとおり,本願発明についての原査定の拒絶の理由は妥当なものであり,その余の請求項について論及するまでもなく，本願は，拒絶すべきものである。  
　よって，結論のとおり審決する。